(57)【特許請求の範囲】
【請求項１】
水流の輸送部の開放端又は前記輸送部の近傍で開放水を受けて回転する回転翼と、前記回転翼の回転により発電する発電機と、前記発電機の発電出力によるエネルギーで、人工滝及びその近傍の内、少なくとも一つを自己照明する照明具とを備え、前記開放水としての前記人工滝に設置されることを特徴とする水力発電自己照明補助装置。
【請求項２】
前記照明器具は、複数の発光色を有する単数又は複数の照明具を含み、不変の照明条件又は、前記照明具の発光の明るさと前記発光色のうち少なくとも１つを電子的に切り替える制御手段を有することを特徴とする請求項１記載の水力発電自己照明補助装置。
【発明の詳細な説明】
【技術分野】
【０００１】
本発明は、水道の蛇口からの水や、公園の噴水、滝の落下水等の水力を利用して、発電し、これら又はその近傍を照明する装置に関するものである。
【背景技術】
【０００２】
従来、水道水による発電は、発電そのものに関する提案は、特許文献１、特許文献２、特許文献３、特許文献４、特許文献５、特許文献６に見ることができるが、発電出力の応用に関するものの提案は少なく、わずかに、特許文献７に見ることが出来る。特許文献７では、発電出力でオゾン発生器を駆動して、水道水をオゾンで消毒するものである。特許文献１から特許文献６の発電そのものに関する提案では、発電そのものに技術的な疑問が残っている。図６には水道管６１内を速度ｖで流れる水流と途中に水車の回転翼６２を有する水力発電機６３を示している。６−Ａでは、水平に置かれた水道管である。回転翼６２の前の流速がｖであり、もし発電が行われてエネルギーが水車側に移ったと仮定すると、回転翼６２の後では水流の流速は遅くなってしまう。これは、入力する水流の速度より流出する水流の速度が遅いので、出力側では水が滞留してしまうことを意味している。従って、このような閉管の中では、滞留が無く、連続した水流では、エネルギーをとることは出来ないと思われる。特許文献１から特許文献６にはこれに関する説明はされていない。従って、エネルギーをとるには、６−Ｃのように管の開放端または、その近傍に回転翼６２を有する水力発電機６３を付設するか、又は、６−Ｂのように、落差を有する閉管に付設する必要がある。落差のある場合は、位置エネルギーの差だけエネルギーを取っても、速度の変化は無くて良いからである。いずれにせよ、本発明のような発電出力の応用に関するものの提案は極めて少ない。
【特許文献１】特開平８−４２４４０
【特許文献２】特開２００２−１３８５２５
【特許文献３】特開２００１−２９５７４８
【特許文献４】特開２００３−２５４２１９
【特許文献５】特開２００２−３３２９４７
【特許文献６】特開２００２−１３８９４２
【特許文献７】特開平８−１０３７７７
【発明の開示】
【発明が解決しようとする課題】
【０００３】
以上の様な事情に鑑み、本発明が解決しようとする課題は、従来、知られていなかったものであり、水道の蛇口、シャワー、公園の噴水等の管の開放端の端末、或いは滝等の開放水からエネルギーを得て発電し、それら又はその近くを照明するものであり、自らの水流により発電し照明を得るので、特に、家庭や電源の無い公園、自然環境等の水回りの照明やイルミネーションに使用して便利なものを提供することである。
【課題を解決するための手段】
【０００４】
本発明は、水流を導く管等の輸送部の開放端又はその近傍で前記水流を受けるか、又は、開放水を受けて回転する回転翼と、これにより駆動される発電機と、その発電出力で水流又はその近傍を自己照明する照明具とを備えるものである。以下、詳述する。
【０００５】
請求項１記載の発明は、水力発電自己照明補助装置であって、水流の輸送部の開放端又はその近傍で前記水流を受けるか、又は、開放水を受けて回転する回転翼と、前記回転翼の回転により発電する発電機と、その発電出力によるエネルギーで、前記水流または前記開放水と前記発電機と前記輸送部と前記回転翼とこれらの近傍の内、少なくとも一つを自己照明する照明具とを備えたことを特徴とする。
【０００６】
請求項２記載の発明は、請求項１記載の水力発電自己照明補助装置において、前記水力発電自己照明補助装置は、水道の蛇口と接続又は一体化されることを特徴とする。
【０００７】
請求項３記載の発明は、請求項１記載の水力発電自己照明補助装置において、前記の水力発電自己照明補助装置は、シャワー装置に接続又は一体化されることを特徴とする。
【０００８】
請求項４記載の発明は、請求項１記載の水力発電自己照明補助装置において、前記の水力発電自己照明補助装置は、散水器と接続又は一体化されることを特徴とする。
【０００９】
請求項５記載の発明は、請求項１記載の水力発電自己照明補助装置において、前記の水力発電自己照明補助装置は、噴水装置と接続又は一体化されることを特徴とする。
【００１０】
請求項６記載の発明は、請求項１記載の水力発電自己照明補助装置において、前記の水力発電自己照明補助装置は、前記開放水としての滝又は人口滝に設置されるものであって、前記滝又は前記人口滝及びその近傍の内いずれか１つの照明を行うことを特徴とする。
【００１１】
請求項７記載の発明は、請求項１から請求項６のいずれか一つに記載の水力発電自己照明補助装置において、前記照明具は、複数の発光色を有する単数又は複数の照明具を含み、不変の照明条件又は、前記照明具の発光の明るさと前記発光色のうち少なくとも一つを電子的に切り替える制御手段を有することを特徴とする。
【００１２】
請求項８記載の発明は、請求項７に記載の水力発電自己照明補助装置において、前記複数の発光色は、異なる色の反射板と異なる色の色ガラスのうち少なくとも１つを用いて発色することを特徴とする。
【発明の効果】
【００１３】
以上の様に構成されているので、水道の蛇口、シャワー、公園の噴水等の管の開放端の端末、或いは滝等の開放水から、自らの水流により電力を得ることが出来、照明や電飾が可能となる。
【発明を実施するための最良の形態】
【００１４】
本発明の水力発電自己照明補助装置は、水流の管の開放端又は開放水が有るところで、特に電源の無いところでのイルミネーション等において好適であり、自らの水流により発電し、水流を照明電飾することが可能となり、公園等に設置して最適な手段を提供する。以下実施例を用いて説明する。
【実施例１】
【００１５】
図１は、本発明の一実施態様を示す図であり、水道の蛇口１１に適用したものである。１２全体が、本発明による水力発電自己照明補助装置であり、内部には、回転翼１３を有する水力発電機１４があり、１５は、ＬＥＤ等の照明具１６を制御する制御基板であり、制御基板１５は、必要な場合は、整流器や充電用の二次電池を含むことがある。例えば、コック１７を開き、水が流れると、発電が起こり、照明具１６が点灯又は点滅する。水力発電自己照明補助装置１２と水道の蛇口、止水栓等の一体化の有無は自由である。
【実施例２】
【００１６】
図２は、本発明の別の実施態様を示す図である。水力発電自己照明補助装置１２は、ほぼ図１と同じであるが、水の出口が、多数のシャワー穴２０を持つシャワー放水面を有する。勿論、水力発電自己照明補助装置１２とシャワー穴２０は、一体化の有無は自由である。
【実施例３】
【００１７】
図３は、本発明の別の実施態様を示す図である。３１全体は散水栓型の水力発電自己照明補助装置となっている。入力３２から入った水は、止水栓３３をあけることで、散水出力３４から勢いよく噴出し、回転翼３５にあたり、回転翼が回転する。図示されていない
発電機が発電を行い、図示されていない照明制御基板により、ＬＥＤ等の照明具３６が点灯或いは点滅する。勿論、散水栓と回転翼と照明具が必ずしも一体でなくともよい。
【実施例４】
【００１８】
図４は、本発明の別の実施態様を示す図である。公園等の噴水の電飾に適用した例である。１２は、図１とほぼ同じ水力発電自己照明補助装置であり、噴水の出力端子４１からか、又は図のように、近傍からの水を受けて発電し、照明制御基板１５を経由して照明具４２を点灯又は点滅する。照明制御基板１５は水力発電自己照明補助装置１２の外にあってもかまわない。又、照明具４２と水力発電自己照明補助装置１２とが一体に形成されて、一体で水力発電自己照明補助装置となっていてもかまわない。
【実施例５】
【００１９】
図５は、本発明の別の実施態様を示す図である。公園の人口滝や自然の滝の夜間イルミネーションに使用して最適なものである。例えば、図５は人口滝の例であるが、落下する水流を受け、回転する回転翼５１があり、その回転を受けて、水力発電機５２が発電する。その電力により、照明の制御基板５３を経由して、照明具５４、５５を点灯又は点滅している。特に、照明具５５では複数の照明具が並べられ、同じ色で点灯したり、個々の照明具が異なる色で点灯したり、時間により点灯が切り替えられたりし、イルミネーションに美観を添えることが出来る。これは、制御基板５３にあるメモリに点灯の手順を記憶しておき、マイクロコンピュータ等の指示で読み出すようにすることで可能である。勿論、照明は一色（例えば白色）であるが、異なる色の反射板、或いはステンドグラスのような色ガラスを設置することによる照明発光色の多色化も可能である。
【００２０】
以上の実施例では、発電出力は、例えば制御基板５３等に設置した整流器や電圧制御器を通じ二次電池に充電することも可能であり、本発明の範囲に属する。充電された電力で水の流れていないときの照明も可能であることは論を待たない。更に、水力発電機に使用される回転翼の形状は、図に示したものに限定されるものではなく、公知のものが利用できることは言うまでもない。
【産業上の利用可能性】
【００２１】
以上のような水力発電自己照明補助装置は、家庭や公園等の水回りの照明やイルミネーション、観光用に夜間の自然の滝のイルミネーションに使用して好適である。
【図面の簡単な説明】
【００２２】
【図１】本発明に係る水力発電自己照明補助装置の一実施態様を示す図である。
【図２】本発明に係る水力発電自己照明補助装置の別の実施態様を示す図である。
【図３】本発明に係る水力発電自己照明補助装置の別の実施態様を示す図である。
【図４】本発明に係る水力発電自己照明補助装置の別の実施態様を示す図である。
【図５】本発明に係る水力発電自己照明補助装置の別の実施態様を示す図である。
【図６】特許文献での従来の水力発電機の課題を示す図である。
【符号の説明】
【００２３】
１１  蛇口、  １２  水力発電自己照明補助装置全体
１３、３５、５１、６２  回転翼、    １４、５２、６３  水力発電機
１５、５３  制御基板、１６、３６、４２、５４、５５  照明具
１７  コック、  ２０  シャワー穴、  ３１  散水栓型の水力発電自己照明補助装置
３２  入力、  ３３  止水栓、  ３４  散水出力、４１  噴水の出力端子
６１  水道管  
【図１】
0004665207.tif 000002
【図２】
0004665207.tif 000003
【図３】
0004665207.tif 000004
【図４】
0004665207.tif 000005
【図５】
0004665207.tif 000006
【図６】
0004665207.tif 000007